(57)【要約】【課題】ファイル用表紙の表表紙および裏表紙を見開いた状態において綴具に綴じられた紙葉類等を平坦にして閲覧することができるとともに、ファイル用表紙の材料が紙材の場合にも該ファイル用表紙の製造を可能とすることである。【解決手段】表紙３０は、背表紙３６の両端部において背表紙３６に対して垂直に略矩形の一対の側面３８ａ、３８ｂが連設部４０ａ、４０ｂを介して連設された背部３４と、表表紙４２および裏表紙４４とを備え、背表紙３６の内表面に綴具２０が配置され、側面３８ａ、３８ｂと表表紙４２および裏表紙４４とを連設するヒンジ部４６ａ、４６ｂの間に跨って紙葉類保持部６０が形成され、紙葉類保持部６０は、一対のヒンジ部４６ａ，４６ｂより略内側に折り曲げ部６４ａ、６４ｂが形成され、表紙を開いた状態のとき、表表紙４２および裏表紙４４の内表面と、紙葉類保持部６０とにより形成される面とが同一平面を形成する、ファイル用表紙である。【選択図】図１
2008062424.tif 000002
【特許請求の範囲】
【請求項１】
外表面および内表面を備え、広げた状態において略矩形の表紙と、表紙の内表面に配置された綴具とを有するファイル用表紙であって、
前記表紙は、
背表紙の両端部において背表紙に対して垂直に略矩形の一対の側面が連設部を介して連設された背部と、前記側面における連設部とは反対側の一方端辺に、開閉自在に延設された表表紙および裏表紙とを備え、
前記背表紙の内表面に綴具が配置され、
前記側面と前記表表紙および前記裏表紙は、ヒンジ部により連設され、
対向する一対のヒンジ部の間に跨って紙葉類保持部が形成され、
前記紙葉類保持部は、
対向して形成されている一対のヒンジ部より幅方向における略内側に折り曲げ部が形成され、
前記表表紙および前記裏表紙を開いた状態のとき、前記表表紙および前記裏表紙の内表面と、前記紙葉類保持部とにより形成される面とが同一平面を形成することを特徴とする、ファイル用表紙。
【請求項２】
紙葉類保持部は、左右一対の折り曲げ部の間に形成された中央部と、左右一対の折り曲げ部の外側に形成された接着領域を構成する接着部とを備える紙葉類保持部材によって形成された、請求項１に記載のファイル用表紙。
【請求項３】
背部は、
背表紙と、背表紙の両端部において前記背表紙に対して垂直に連設部を介して連設された略短形の一対の側面とを備える、
背部部材によって形成された、請求項１又は請求項２に記載のファイル用表紙。
【発明の詳細な説明】
【技術分野】
【０００１】
この発明は、ファイル用表紙に関し、特にたとえば、背部の両側に表表紙および裏表紙が連設部を介して背部に対して固定した立設状態に設けられるファイル用表紙に関する。
【背景技術】
【０００２】
従来のファイル用表紙は、背部の両側に表紙等が連設されたファイル用表紙において、開閉用の薄肉ヒンジ部を背部寄りに有する表紙等が背部に対して立設状態に連設されていることを特徴としており、背部の両側に表紙等を立設状態に連設する構成としては、当該連設部に略Ｖ字溝を設ける手段を採用している。すなわち、背部の両側に表紙等が連設されたファイル用表紙において、表紙等は、背部との連設部に設けられた略Ｖ字溝の溝壁を互いに接合して背部に対し立設状態に設けられ、当該連設部から若干小口寄りの位置において表紙および裏表紙の開閉を可能にする薄肉のヒンジ部が設けられていることを特徴とするものである（特許文献１参照）。
【０００３】
【特許文献１】特開平６−２３９０５６号公報
【発明の開示】
【発明が解決しようとする課題】
【０００４】
しかしながら、綴具に紙葉類を挿入した場合に、背部と綴具との空間部に紙葉類が落ち込み平坦にできないことから、ファイル用表紙の表紙を両側に開いたときに、綴具付近において紙葉類Ｓに記載されている内容が見にくい等の弊害が生じる可能性がある。
くわえて、特許文献１に記載されたファイル用表紙は、熱可塑性樹脂製シート材を材料としたファイル用表紙を対象としたものであり、紙を材料とした場合には、適応できないといった問題がある。
【０００５】
それゆえに、この発明の主たる目的は、たとえば、ファイル用表紙における表表紙および裏表紙を見開いた状態において綴具に綴じられた紙葉類等を平坦にして閲覧することができるとともに、ファイル用表紙の材料が紙材の場合にも該ファイル用表紙の製造を可能とすることである。
【課題を解決するための手段】
【０００６】
この発明にかかるファイル用表紙は、外表面および内表面を備え、広げた状態において略矩形の表紙と、表紙の内表面に配置された綴具とを有するファイル用表紙であって、前記表紙は、背表紙の両端部において背表紙に対して垂直に略矩形の一対の側面が連設部を介して連設された背部と、前記側面における連設部とは反対側の一方端辺に、開閉自在に延設された表表紙および裏表紙とを備え、前記背表紙の内表面に綴具が配置され、前記側面と前記表表紙および前記裏表紙は、ヒンジ部により連設され、対向する一対のヒンジ部の間に跨って紙葉類保持部が形成され、前記紙葉類保持部は、対向して形成されている一対のヒンジ部より幅方向における略内側に折り曲げ部が形成され、前記表表紙および前記裏表紙を開いた状態のとき、前記表表紙および前記裏表紙の内表面と、前記紙葉類保持部とにより形成される面とが同一平面を形成することを特徴とするファイル用表紙である。
【０００７】
また、この発明の請求項２にかかるファイル用表紙においては、紙葉類保持部は、左右一対の折り曲げ部の間に形成された中央部と、左右一対の折り曲げ部の外側に形成された接着領域を構成する接着部とを備える紙葉類保持部材によって形成されたことを特徴とする、請求項１に記載のファイル用表紙である。
【０００８】
また、この発明の請求項３にかかるファイル用表紙においては、背部は、背表紙と、背表紙の両端部において前記背表紙に対して垂直に連設部を介して連設された略短形の一対の側面とを備える、背部部材によって形成されたことを特徴とする、請求項１又は請求項２に記載のファイル用表紙である。
【発明の効果】
【０００９】
この発明にかかるファイル用表紙は、外表面および内表面を備え、広げた状態において略矩形の表紙と、表紙の内表面に配置された綴具とを有するファイル用表紙であって、前記表紙は、背表紙の両端部において背表紙に対して垂直に略矩形の一対の側面が連設部を介して連設された背部と、前記側面における連設部とは反対側の一方端辺に、開閉自在に延設された表表紙および裏表紙とを備え、前記背表紙の内表面に綴具が配置され、前記側面と前記表表紙および前記裏表紙は、ヒンジ部により連設され、対向する一対のヒンジ部の間に跨って紙葉類保持部が形成され、前記紙葉類保持部は、対向して形成されている一対のヒンジ部より幅方向における略内側に折り曲げ部が形成され、前記表表紙および前記裏表紙を開いた状態のとき、前記表表紙および前記裏表紙の内表面と、前記紙葉類保持部とにより形成される面とが同一平面を形成するので、たとえば、ファイル用表紙における表表紙および裏表紙とを見開いた状態において綴具に綴じられた紙葉類等を平坦にして閲覧することができるとともに、ファイル用表紙の材料が紙材の場合にも該ファイル用表紙の製造を可能とすることができる。
請求項２の発明によれば、紙葉類保持部は、左右一対の折り曲げ部の間に形成された中央部と、左右一対の折り曲げ部の外側に形成された接着領域を構成する接着部とを備える紙葉類保持部材によって形成されているので、側面と表表紙および裏表紙を連設する一対のヒンジ部の間に紙葉類保持部材を跨らせ、接着部により接着することにより、紙葉類保持部を比較的容易に形成でき、中央部において綴具に綴じられた紙葉類等を保持して平坦にして閲覧することができるとともに、ファイル用表紙の材料が紙材の場合にも該ファイル用表紙の製造を可能とすることができる。
請求項３の発明によれば、背部は、背表紙と、背表紙の両端部において前記背表紙に対して垂直に連設部を介して連設された略短形の一対の側面とを備える、背部部材によって形成されているので、例えば表表紙および裏表紙に連設することにより、表表紙と裏表紙との間に紙葉類保持部を形成するとともに背部部材によって背部を形成することができ、たとえば、ファイル用表紙における表表紙および裏表紙とを見開いた状態において綴具に綴じられた紙葉類等を平坦にして閲覧することができるとともに、ファイル用表紙の材料が紙材の場合にも該ファイル用表紙の製造を可能とすることができる。
【００１０】
この発明の上述の目的、その他の目的、特徴および利点は、図面を参照して行う以下の発明を実施するための最良の形態の説明から一層明らかとなろう。
【発明を実施するための最良の形態】
【００１１】
図１は、この発明にかかるファイル用表紙を使用したファイリング用品の一実施例を示す斜視図である。図２は、この発明にかかるファイル用表紙を開いた状態の平面図解図であり、図３は、図２のファイル用表紙の表紙を開いた状態の横断面図解図である。
この発明の実施形態であるファイル用表紙１０は、綴具２０と綴具２０を固定する表紙３０とを含む。
【００１２】
表紙３０は、広げた状態において、平面視略矩形の形状に形成されており、外表面３２ａおよび内表面３２ｂを備えている。また、表紙３０は、背部３４を備え、背部３４は、綴具２０を固定する背表紙３６と、前記背表紙３６の両端に連設部４０ａ及び連設部４０ｂを介して前記背表紙３６に対して垂直に連設された表裏一対の側面視略矩形の側面３８ａ及び側面３８ｂとを有し、断面略コの字型の固定した状態に形成されている。
背部３４は、側面３８ａ，３８ｂにおける連設部４０ａ，４０ｂとは反対側の一方端辺において、開閉自在に延設された表表紙４２および裏表紙４４が連設されている。
表表紙４２および裏表紙４４は、側面３８ａ，３８ｂにヒンジ部４６ａ，４６ｂを介して連設されている。
【００１３】
背表紙３６は、平面視略矩形の表紙３０における略中央部において、表紙３０の高さ方向に対して垂直な向き（幅方向）に適宜な背幅を持っている。
なお、前記適宜な背幅は、ファイル用表紙１０の背表紙３６を安定して手によって保持することができる程度の長さを有していることが望ましい。
【００１４】
側面３８ａ及び側面３８ｂは、背表紙３６、表表紙４２及び裏表紙４４と同じ高さを有し、ファイル用表紙１０の背表紙３６を安定して手によって保持することができる程度の幅を有している。
そして、一方の側面３８ａは、連設部４０ａを介して、背表紙３６と固定的な状態において連設され、他方の側面３８ｂは、連設部４０ｂを介して、背表紙３６と固定的な状態において連設され、断面略コの字型の構造をしている。
連設部４０ａは、折り曲げられて形成され、その外表面に表紙３０の上端から下端に亘って連続して膨出されて形成された、断面略円弧状の外表面の角部４８ａが形成されるとともに、連設部４０ｂは、折り曲げられて形成され、その外表面に表紙３０の上端から下端に亘って連続して膨出されて形成された、断面略円弧状の外表面の角部４８ｂが形成されている。
【００１５】
表表紙４２及び裏表紙４４は、背表紙３６、側面３８ａ及び側面３８ｂと同じ高さを有し、表表紙４２は、ヒンジ部４６ａを介して側面３８ａに開閉自在に連設され、裏表紙４４は、ヒンジ部４６ｂを介して側面３８ｂに開閉自在に連設されている。
対向するヒンジ部４６ａとヒンジ部４６ｂとの間に、仮想的な開口面５４が形成され、この開口面５４は、背表紙３６に平行に形成され、背表紙３６、側面３８ａ及び側面３８ｂとの間に空間部５６が形成されている。
ヒンジ部４６ａ，４６ｂにおいて、外表面３２ａ側には、凸部５０ａ，５０ｂが形成されており、内表面３２ｂ側には、凹部５２ａ，５２ｂが形成されている。
【００１６】
たとえば、本発明において使用される綴具２０は、綴じ孔が形成された紙葉類Ｓ等を綴じるための開閉可能な一対の綴環２２ａ，２２ｂと、前記一対の綴環２２ａ，２２ｂを間隔をおいて設けることができる長さを備えた保持部材２４と、一対の綴環２２ａ，２２ｂがその基部においてその表面に固定され、一対の綴環２２ａ，２２ｂが保持部材２４内で、保持部材２４の長手方向に移動可能に保持部材２４の内側に固定された一対の作動部材（図示せず）と、作動部材を保持部材２４内で保持部材２４の長手方向に移動させる開閉部材（図示せず）とを備える。
背表紙３６の内表面側の略中央部に、綴具２０が高さ方向（天地方向）にのびるように配置される。
ヒンジ部４６ａ，４６ｂと連設部４０ａ，４０ｂの内側面との間の長さ（高さ）と綴具２０における保持部材２４とは、背表紙３６から略々同じ高さに形成されている。
すなわち、綴具２０は、表表紙４２および裏表紙４４を開いたときに形成される仮想的な開口面５４を含む一平面よりも低い位置において、表紙３０に配置される。
【００１７】
対向して形成されるヒンジ部４６ａとヒンジ部４６ｂとの間に形成される開口面５４を含め、少なくとも綴具２０が配置されている以外の領域には、紙葉類保持部を構成する紙葉類保持部材６０が形成されている。
紙葉類保持部材６０は、表表紙４２におけるヒンジ部４６ａの近傍と裏表紙４４におけるヒンジ部４６ｂの近傍との間に跨って展設され、すくなくとも綴具２０が配置された領域を除き、開口面５４を塞ぐように構成されている。
すなわち、紙葉類保持部材６０は、縦の長さは、ファイル用表紙１０の高さ方向（天地方向）の長さより短い大きさであり、横の長さは、背表紙３６の幅方向の長さより長い大きさを有した、略矩形に形成されている。
【００１８】
紙葉類保持部材６０は、その上端から下部に亘って左右一対の折り曲げ部６４ａ及び折り曲げ部６４ｂが形成されており、一方の折り曲げ部６４ａと他方の折り曲げ部６４ｂとの幅方向における間隔は、背表紙３６の幅方向における長さ（幅）よりわずかに短くなるように形成されている。
紙葉類保持部材６０は、折り曲げ部６４ａと折り曲げ部６４ｂとの内の中央部６４に開口部５４を塞ぐ領域を備えるとともに、折り曲げ部６４ａより幅方向における外側には、接着領域を構成する一方の接着部６４ｄを備え且つ折り曲げ部６４ｂより幅方向における外側には、接着領域を構成する他方の接着部６４ｅを備えている。
【００１９】
紙葉類保持部材６０は、表面６６および裏面６８を備えている。紙葉類保持部材６０の中央部６４の略中央には、綴具２０の一対の綴環２２ａ，２２ｂが露出するように、略矩形の開口部６２が形成されている。該開口部６２の四つ角の形状は、たとえば、円弧状に形成される。
紙葉類保持部材６０の折り曲げ部６４ａ，６４ｂは、対向して形成されている一対のヒンジ部４６ａ，４６ｂより（表紙３０の幅方向の）略内側近傍に形成されている。
また、紙葉類保持部材６０は、折り曲げ部６４ａ，６４ｂにおいて、表面６６側に凸部７０ａ，７０ｂが形成されており、裏面６８側に凹部７２ａ，７２ｂが形成されている。
【００２０】
紙葉類保持部材６０は、折り曲げ部６４ａを表紙３０のヒンジ部４６ａの内側（表紙３０の幅方向における）近傍に位置させ且つ折り曲げ部６４ｂを表紙３０のヒンジ部４６ｂの内側（表紙３０の幅方向における）近傍に位置させて、ホットメルト接着剤９６により、接着部６４ｄを表表紙４２のヒンジ部４６ａの近傍に接着されるとともに接着部６４ｅを裏表紙４４のヒンジ部４６ｂの近傍に接着されている。
而して、表表紙４２又は裏表紙４４をヒンジ部４６ａ又はヒンジ部４６ｂを中心にして開閉すれば、紙葉類保持部材６０は、折り曲げ部６４ａ又は折り曲げ部６４ｂを中心にして開閉する。
また、表表紙４２および裏表紙４４を開いた状態のとき、表表紙４２および裏表紙４４の内表面３２ｂと、紙葉類保持部材６０とにより形成される面が同一平面を形成する。
紙葉類保持部材６０と背表紙３６との間には、連設部４０ａ，４０ｂとヒンジ部４６ａ，４６ｂとの間隔と略同一の高さを有する空間部５６が設けられている。
【００２１】
表紙３０及び紙葉類保持部材６０は、たとえば、厚紙、ボール紙等の紙材により形成される。
表紙３０は、展開した状態において、平面視略矩形の紙材を、トムソン加工により、外形を抜き加工によって形成するとともに、連設部４０ａ及び４０ｂにおいて折り曲げ加工し且つヒンジ部４６ａ及び４６ｂにおいて凹ませ、表紙３０の外表面側を膨らませる加工をして、適宜な形状に成形する。
次に、図４に示すように、紙材９０をジグ９２の凹み９２ａに断面略コの字型構造の背表紙３６を下面にして側面３８ａ及び３８ｂを凹み９２ａの壁面に沿わせて載置し、ヒンジ部４６ａ及びヒンジ部４６ｂにより表表紙４２及び裏表紙４４を開いてジグ９２の左右に分かれた平面９２ｂに載置させる。
しかる後、表表紙４２のヒンジ部４６ａの近傍と裏表紙４４のヒンジ部４６ｂの近傍とにホットメルト接着剤９６を載置し、背部３４の開口面５４を塞ぐようにして、ホットメルト接着剤９６の上から別途準備した紙葉類保持部材６０を表表紙４２のヒンジ部４６ａの近傍と裏表紙４４のヒンジ部４６ｂの近傍とに跨がらせて、緊張した状態にして、例えば、熱板９４をジグ９２の上方より紙葉類保持部材６０の一方の接着部６４ｄ及び他方の接着部６４ｅの表面に向けて下降させて、ジグ９２の平面９２ｂに向けて押圧する。
熱板９４により加熱されたホットメルト接着剤９６を表表紙４２のヒンジ部４６ａの近傍と一方の接着部６４ｄとの間及び裏表紙４４のヒンジ部４６ｂの近傍と他方の接着部６４ｅとの間において溶融させ、熱板９４を取り除くことにより硬化させれば、紙葉類保持部材６０は、表紙３０を形成する紙材９０の適宜な位置において、表紙３０を形成する紙材９０に固定される。
【００２２】
綴具２０は、表紙３０を形成する紙材９０に紙葉類保持部材６０を固着する前に、背表紙３６にビス等で固定しておいてもよく、また紙葉類保持部材６０の開口部６２が綴具２０より広いときには、表紙３０を形成する紙材９０に紙葉類保持部材６０を固着した後に背表紙３６にビス等で固着してもよい。
また、紙葉類保持部材６０は、表紙３０の内表面３２ｂに固着される際に、たとえば、接着剤により固着されるが、それに限られるものではなく、両面テープ、ビス、はとめ、リベット等を用いてもよい。
【００２３】
この発明にかかるファイル用表紙１０によると、綴具２０に綴じられた紙葉類Ｓが紙葉類保持部材６０により支えられることから、背表紙３６および側面３８ａ，３８ｂにより形成された空間部５６内に紙葉類Ｓが落ち込むことがない。
また、外表面３２ａ側に凸部５０ａ，５０ｂが形成されることで、表表紙４２および裏表紙４４は、容易に外側方向に開くことが可能となる。
さらに、当該ファイル用表紙１０の背表紙３６の裏側に取り付けられた綴具２０に紙葉類Ｓ等を綴じている状態で背表紙３６と側面３８ａ及び３８ｂとを指でつかんで、ファイル用表紙１０を開いて該紙葉類Ｓ等を閲覧する場合に、前記連設部４０ａ及び連設部４０の外表面の角部４８ａ及び角部４８ｂの膨らみがすべり止めの役割を果たし、手の中に背表紙３６を確実に保持することが可能となる。
【００２４】
次に、この発明にかかる別の実施の形態であるファイル用表紙について説明する。
図５は、この発明にかかるファイル用表紙の他の実施の形態におけるファイル用表紙を開いた状態の平面図解図であり、図６は、図５におけるファイル用表紙を開いた状態の横断面図解図である。
この実施の形態にかかるファイル用表紙１１０も、綴具２０と綴具２０を固定する表紙３０とを含む。以下の説明においては、前記図１図示ファイル用表紙１０と同様な構成については、同一符号を付して説明する。
【００２５】
表紙３０は、広げた状態において、平面視略矩形の形状に形成されており、外表面３２ａおよび内表面３２ｂを備えている。また、表紙３０は、背部３４を備え、背部３４は、綴具２０を固定する背表紙３６と、前記背表紙３６の両端に連設部４０ａ及び連設部４０ｂを介して前記背表紙３６に対して垂直に連設された表裏一対の側面視略矩形の側面３８ａ及び側面３８ｂとを有し、断面略コの字型の固定した状態に形成されている。
背部３４は、側面３８ａ，３８ｂにおける連設部４０ａ，４０ｂとは反対側の一方端辺において、開閉自在に延設された表表紙４２および裏表紙４４が連設されている。
表表紙４２および裏表紙４４は、側面３８ａ，３８ｂにヒンジ部４６ａ，４６ｂを介して連設されている。
【００２６】
背表紙３６は、平面視略矩形の表紙３０における略中央部において、表紙３０の高さ方向に対して垂直な向き（幅方向）に適宜な背幅を持っている。
なお、前記適宜な背幅は、ファイル用表紙１０の背表紙３６を安定して手によって保持することができる程度の長さを有していることが望ましい。
【００２７】
側面３８ａ及び側面３８ｂは、背表紙３６、表表紙４２及び裏表紙４４と同じ高さを有し、ファイル用表紙１０の背表紙３６を安定して手によって保持することができる程度の幅を有している。
そして、一方の側面３８ａは、連設部４０ａを介して、背表紙３６と固定的な状態において連設され、他方の側面３８ｂは、連設部４０ｂを介して、背表紙３６と固定的な状態において連設され、断面略コの字型の構造をしている。
連設部４０ａは、折り曲げられて形成され、その外表面に表紙３０の上端から下端に亘って連続して膨出されて形成された、断面略円弧状の外表面の角部４８ａが形成されるとともに、連設部４０ｂは、折り曲げられて形成され、その外表面に表紙３０の上端から下端に亘って連続して膨出されて形成された、断面略円弧状の外表面の角部４８ｂが形成されている。
【００２８】
表表紙４２及び裏表紙４４は、背表紙３６、側面３８ａ及び側面３８ｂと同じ高さを有し、表表紙４２は、ヒンジ部４６ａを介して側面３８ａに開閉自在に連設され、裏表紙４４は、ヒンジ部４６ｂを介して側面３８ｂに開閉自在に連設されている。
対向するヒンジ部４６ａとヒンジ部４６ｂとの間に、仮想的な開口面５４が形成され、この開口面５４は、背表紙３６に平行に形成され、背表紙３６、側面３８ａ及び側面３８ｂとの間に空間部５６が形成されている。
ヒンジ部４６ａ，４６ｂにおいて、外表面３２ａ側には、凸部５０ａ，５０ｂが形成されており、内表面３２ｂ側には、凹部５２ａ，５２ｂが形成されている。
【００２９】
たとえば、本発明において使用される綴具２０は、開閉可能な一対の綴環２２ａ，２２ｂと、前記一対の綴環２２ａ，２２ｂを間隔をおいて設けることができる長さを備えた保持部材２４と、一対の綴環２２ａ，２２ｂがその基部においてその表面に固定され、一対の綴環２２ａ，２２ｂが保持部材２４内で、保持部材２４の長手方向に移動可能に保持部材２４の内側に固定された一対の作動部材（図示せず）と、作動部材を保持部材２４内で保持部材２４の長手方向に移動させる開閉部材（図示せず）とを備える。
背表紙３６の内表面側の略中央部に、綴具２０が高さ方向に（天地方向）にのびるように配置される。
ヒンジ部４６ａ，４６ｂと連設部４０ａ，４０ｂの内側面との間の長さ（高さ）と綴具２０における保持部材２４とは、背表紙３０から略々同じ高さに形成されている。
すなわち、綴具２０は、表表紙４２および裏表紙４４を開いたときに形成される仮想的な開口面５４を含む一平面よりも低い位置において、表紙３０に配置される。
【００３０】
対向して形成されるヒンジ部４６ａとヒンジ部４６ｂとの間に形成される開口面５４を含め、少なくとも綴具２０が配置されている以外の領域には、紙葉類保持部を構成する紙葉類保持部材１６０ａ，１６０ｂが形成されている。
【００３１】
本実施の形態にかかるファイル用表紙１１０は、紙葉類保持部材１６０ａ，１６０ｂの構造が、図１図示実施の形態にかかる表紙３０の紙葉類保持部材６０とは、異なる形状を有している。すなわち、紙葉類保持部材１６０ａ，１６０ｂが、綴具２０を挟んで、表紙３０の高さ方向における上部側と下部側との二箇所に分離して設けられる構造である。紙葉類保持部材１６０ａ，１６０ｂは、表表紙４２におけるヒンジ部４６ａの近傍と裏表紙４４におけるヒンジ部４６ｂの近傍との間に跨って展設され、すくなくとも綴具２０が配置された領域を除き、開口面５４を塞ぐように構成されている。
紙葉類保持部材１６０ａもしくは紙葉類保持部材１６０ｂは、縦の長さは、背表紙３６の上端部８０より略内側から綴具２０が配置されている上端部８２付近までの大きさを有しており、紙葉類保持部材１６０ａ，１６０ｂは、背表紙３６の下端部８４から綴具２０が配置されている下端部８６付近の略内側までの大きさを有している。また、紙葉類保持部材１６０ａ，１６０ｂの横の長さは、背表紙３６の幅方向の長さより長い大きさを有しており、紙葉類保持部材１６０ａ，１６０ｂは、略矩形に形成されている。紙葉類保持部材１６０ａ，１６０ｂは、表面１６６および裏面１６８を備えている。
【００３２】
また、紙葉類保持部材１６０ａおよび紙葉類保持部材１６０ｂは、上端から下端に亘って左右一対の折り曲げ部１６４ａ，１６４ｂが形成されており、一方の折り曲げ部１６４ａと他方の折り曲げ部１６４ｂとの幅方向における間隔は、背表紙３６の幅方向における長さ（幅）よりわずかに短くなるように形成されている。
紙葉類保持部材１６０ａ，１６０ｂは、折り曲げ部１６４ａと折り曲げ部１６４ｂとの内の中央部１６４に開口部５４を塞ぐ領域を備えるとともに、折り曲げ部１６４ａより幅方向における外側には、接着領域を構成する一方の接着部１６４ｄを備え且つ折り曲げ部１６４ｂより幅方向における外側には、接着領域を構成する他方の接着部１６４ｅを備えている。
【００３３】
紙葉類保持部材１６０ａ及び紙葉類保持部材１６０ｂは、表紙３０の内表面３２ｂにおいて、左側のヒンジ部４６ａの近傍と右側のヒンジ部４６ｂの近傍にホットメルト接着剤９６により接着されている。
紙葉類保持部材１６０ａ，１６０ｂは、表紙３０の内表面３２ｂの所定の場所に取り付けられた場合、折り曲げ部１６４ａ，１６４ｂは、対向して形成されている一対のヒンジ部４６ａ，４６ｂより（表紙３０の幅方向）略内側の近傍に形成されている。
さらにまた、紙葉類保持部材１６０ａ，１６０ｂの折り曲げ部１６４ａ，１６４ｂにおいて、表面１６６側に凸部１７０ａ，１７０ｂが形成されており、裏面１６８側に凹部１７２ａ，１７２ｂが形成されている
【００３４】
紙葉類保持部材１６０ａは、折り曲げ部１６４ａを表紙３０のヒンジ部４６ａの内側（表紙３０の幅方向における）近傍に位置させ且つ折り曲げ部６４ｂを表紙３０のヒンジ部４６ｂの内側（表紙３０の幅方向における）近傍に位置させて、ホットメルト接着剤９６により、接着部６４ｄを表表紙４２のヒンジ部４６ａの近傍に接着されるとともに接着部６４ｅを裏表紙４４のヒンジ部４６ｂの近傍に接着されている。
そして、表表紙４２又は裏表紙４４をヒンジ部４６ａ又はヒンジ部４６ｂを中心にして開閉すれば、紙葉類保持部材１６０ａは、折り曲げ部１６４ａ又は折り曲げ部１６４ｂを中心にして開閉する。
また、表表紙４２および裏表紙４４を開いた状態のとき、表表紙４２および裏表紙４４の内表面３２ｂと、紙葉類保持部材１６０ａとにより形成される面が同一平面を形成する。
紙葉類保持部材１６０ａと背表紙３６との間には、連設部４０ａ，４０ｂとヒンジ部４６ａ，４６ｂとの間隔と略同一の高さを有する空間部５６が設けられている。
【００３５】
表紙３０および紙葉類保持部材１６０ａ，１６０ｂは、前記したファイル用表紙１０と同様に製造される。
【００３６】
この発明にかかるファイル用表紙１１０によると、上述のファイル用表紙１０と同様の効果を奏する。
【００３７】
引き続き、この発明にかかる別の実施の形態であるファイル用表紙について説明する。  図７は、この発明にかかるファイル用表紙のさらに他の実施形態におけるファイル用表
紙の表紙を開いた状態の平面図解図であり、図８は、図７のファイル用表紙の表紙を開い
た状態の横断面図解図である。図９は、紙葉類保持部材の展開した状態の斜視図である。
この実施の形態にかかるファイル用表紙２１０も、綴具２０と綴具２０を固定する表紙３０とを含む。以下の説明については、前記図１図示ファイル用表紙１０と同様な構成については、同一符号を付して説明する。
【００３８】
表紙３０は、広げた状態において、平面視略矩形の形状に形成されており、外表面３２ａおよび内表面３２ｂを備えている。また、表紙３０は、背部３４を備え、背部３４は、綴具２０を固定する背表紙３６と、前記背表紙３６の両端に連設部４０ａ及び連設部４０ｂを介して前記背表紙３６に対して垂直に連設された表裏一対の側面視略矩形の側面３８ａ及び側面３８ｂとを有し、断面コの字の型の固定した状態に形成されている。
背部３４は、側面３８ａ，３８ｂにおける連設部４０ａ，４０ｂとは反対側の一方端辺において、開閉自在に延設された表表紙４２および裏表紙４４が連設されている。
表表紙４２および裏表紙４４は、側面３８ａ，３８ｂにヒンジ部４６ａ，４６ｂを介して連設されている。
【００３９】
背表紙３６は、平面視略矩形の表紙３０における略中央部において、表紙３０の高さ方向に対して垂直な向き（幅方向）に適宜な背幅を持っている。
なお、前記適宜な背幅は、ファイル用表紙１０の背表紙３６を安定して手によって保持することができる程度の長さを有していることが望ましい。
【００４０】
側面３８ａ及び側面３８ｂは、背表紙３６、表表紙４２及び裏表紙４４と同じ高さを有し、ファイル用表紙１０の背表紙３６を安定して手によって保持することができる程度の幅を有している。
そして、一方の側面３８ａは、連設部４０ａを介して、背表紙３６と固定的な状態において連設され、他方の側面３８ｂは、連設部４０ｂを介して、背表紙３６と固定的な状態において連設され、断面略コの字型の構造をしている。
連設部４０ａは、折り曲げられて形成され、その外表面に表紙３０の上端から下端に亘って連続して膨出されて形成された、断面略円弧状の外表面の角部４８ａが形成されるとともに、連設部４０ｂは、折り曲げられて形成され、その外表面に表紙３０の上端から下端に亘って連続して膨出されて形成された、断面略円弧状の外表面の角部４８ｂが形成されている。
【００４１】
表表紙４２及び裏表紙４４は、背表紙３６、側面３８ａ及び側面３８ｂと同じ高さを有し、表表紙４２は、ヒンジ部４６ａを介して側面３８ａに開閉自在に連設され、裏表紙４４は、ヒンジ部４６ｂを介して側面３８ｂに開閉自在に連設されている。
対向するヒンジ部４６ａとヒンジ部４６ｂとの間に、仮想的な開口面５４が形成され、この開口面５４は、背表紙３６に平行に形成され、背表紙３６、側面３８ａ及び側面３８ｂとの間に空間部５６が形成されている。
ヒンジ部４６ａ，４６ｂにおいて、外表面３２側には、凸部５０ａ，５０ｂが形成されており、内表面３４側には、凹部５２ａ，５２ｂが形成されている。
【００４２】
たとえば、本発明において使用される綴具２０は、開閉可能な一対の綴環２２ａ，２２ｂと、前記一対の綴環２２ａ，２２ｂを間隔をおいて設けることができる長さを備えた保持部材２４と、一対の綴環２２ａ，２２ｂがその基部においてその表面に固定され、一対の綴環２２ａ，２２ｂが保持部材２４内で、保持部材２４の長手方向に移動可能に保持部材２４の内側に固定された一対の作動部材（図示せず）と、作動部材を保持部材２４内で保持部材２４の長手方向に移動させる開閉部材（図示せず）とを備える。
背表紙３６の内表面側の略中央部に、綴具２０が高さ方向に（天地方向）にのびるように配置される。
ヒンジ部４６ａ，４６ｂと連設部４０ａ，４０ｂの内側面との間の長さ（高さ）と綴具２０における保持部材２４とは、背表紙３０から略々同じ高さに形成されている。
すなわち、綴具２０は、表表紙４２および裏表紙４４を開いたときに形成される仮想的な開口面５４を含む一平面よりも低い位置において、表紙３０に配置される。
【００４３】
対向して形成されるヒンジ部４６ａとヒンジ部４６ｂとの間に形成される開口面５４を含め、少なくとも綴具２０が配置されている以外の領域には、紙葉類保持部を構成する紙葉類保持部材６０が形成されている。
【００４４】
本実施の形態にかかるファイル用表紙２１０は、紙葉類保持部材２６０ａ，２６０ｂの構造が、図１図示実施の形態にかかるファイル用表紙１０の紙葉類保持部材６０とは、異なる形状を有している。すなわち、紙葉類保持部材２６０ａ，２６０ｂが、綴具２０を挟んで、ファイル用表紙２１０の高さ方向における上部側と下部側との二箇所に分離して設けられる構造である。紙葉類保持部材２６０ａ，２６０ｂは、表表紙４２におけるヒンジ部４６ａの近傍と裏表紙４４におけるヒンジ部４６ｂの近傍との間に跨って展設され、すくなくとも綴具２０が配置された領域を除き、開口面５４を塞ぐように構成されている。
すなわち、紙葉類保持部材２６０ａもしくは紙葉類保持部材２６０ｂは、縦の長さは、背表紙３６の上端部８０より略内側から綴具２０が配置されている上端部８２付近までの大きさを有しており、紙葉類保持部材２６０ａ，２６０ｂは、背表紙３６の下端部８４から綴具２０が配置されている下端部８６付近の略内側までの大きさを有している。また、紙葉類保持部材２６０ａ，２６０ｂの横の長さは、背表紙３６の幅方向の長さより長い大きさを有しており、紙葉類保持部材２６０ａ，２６０ｂは、略矩形に形成されている。紙葉類保持部材２６０ａ，２６０ｂは、表面２６６および裏面２６８を備えている。
【００４５】
また、紙葉類保持部材２６０ａおよび紙葉類保持部材２６０ｂは、上端から下端に亘って左右一対の折り曲げ部２６４ａ，２６４ｂが形成されており、一方の折り曲げ部２６４ａと他方の折り曲げ部２６４ｂとの幅方向における間隔は、背表紙３６の幅方向における長さ（幅）よりわずかに短くなるように形成されている。
紙葉類保持部材２６０ａ，２６０ｂは、折り曲げ部２６４ａと折り曲げ部２６４ｂとの内の中央部２６４に開口部５４を塞ぐ領域を備えるとともに、折り曲げ部２６４ａより幅方向における外側には、接着領域を構成する一方の接着部２６４ｄを備え且つ折り曲げ部２６４ｂより幅方向における外側には、接着領域を構成する他方の接着部２６４ｅを備えている。
【００４６】
紙葉類保持部材２６０ａ及び紙葉類保持部材２６０ｂは、表紙３０の内表面３２ｂにおいて、左側のヒンジ部４６ａの近傍と右側のヒンジ部４６ｂの近傍にホットメルト接着剤９６により接着されている。
紙葉類保持部材２６０ａ，２６０ｂは、表紙３０の内表面３２ｂの所定の場所に取り付けられた場合、折り曲げ部２６４ａ，２６４ｂは、対向して形成されている一対のヒンジ部４６ａ，４６ｂより（表紙３０の幅方向）略内側の近傍に形成されている。
さらにまた、紙葉類保持部材２６０ａ，２６０ｂの折り曲げ部２６４ａ，２６４ｂにおいて、表面２６６側に凸部２７０ａ，２７０ｂが形成されており、裏面２６８側に凹部２７２ａ，２７２ｂが形成されている。
【００４７】
そして、本実施の形態にかかるファイル用表紙２１０は、上述したファイル用表紙１１０とは紙葉類保持部材２６０ａ及び２６０ｂの構造において異なる。
紙葉類保持部材２６０ａ及び２６０ｂは、その上端辺もしくは下端辺にそれぞれ連続して一方端片もしくは他方端辺が形成され、背表紙２３６と側面３８ａ及び側面３８ｂとにより形成される背部３４の断面略コの字型の形状を保持するように構成されている。
すなわち、紙葉類保持部材２６０ａの中央部６４の上端辺に折り曲げ部２７８ａを介して延設された一方端片２７４ａが、紙葉類保持部材２６０ａの中央に（空間部５６ａの内側）に向けて折り込まれるとともに、紙葉類保持部材２６０ａの中央部６４の下端辺に折り曲げ部２７８ａを介して延設された他方端片２７６ａが紙葉類保持部材２６０ａの中央に（空間部５６の内側）に向けて折り込まれ、同様に、紙葉類保持部材２６０ｂの中央部６４の上端辺に折り曲げ部２７８ｂを介して延設された一方端片２７４ｂが、紙葉類保持部材２６０ｂの中央に（空間部５６ａの内側）に向けて折り込まれるとともに紙葉類保持部材２６０ｂの中央部６４の下端辺に折り曲げ部２７８ｂを介して延設された他方端片２７６ｂが紙葉類保持部材２６０ｂの中央に（空間部５６の内側）に向けて折り込まれる。
一方端片２７４ａと他方端片２７６ａおよび一方端片２７４ｂと他方端片２７６ｂの大きさは、縦の長さが、空間部５６の背表紙３６の高さで開口面５４との間の長さ（すなわち、側面３８ａ及び側面３８ｂの幅）と略同一もしくはそれよりも長く形成され、幅の長さが、背表紙３６の幅と略同一に形成される。
このように、一方端片２７４ａと一方端片２７４ｂおよび他方端片２７６ａと他方端片２７６ｂが空間部５６に介在することで、一方端片２７４ａと一方端片２７４ｂおよび他方端片２７６ａと他方端片２７６ｂにより、背部３４の空間部５６の断面略矩形の形状が保たれることから、結果、連設部４０ａおよび連設部４０ｂの近傍の角部４８ａ，４８ｂの形状が保たれることとなる。
【００４８】
また、紙葉類保持部材２６０ａ，２６０ｂは、一対の折り曲げ部２６４ａ，２６４ｂが形成されている。紙葉類保持部材２６０ａ，２６０ｂが表紙３０の裏面３４の所定の場所に取り付けられた場合、折り曲げ部２６４ａ，２６４ｂは、対向して形成されている一対のヒンジ部４６ａ，４６ｂより略内側に形成されている。
また、紙葉類保持部材２６０ａ，２６０ｂの折り曲げ部２６４ａ，２６４ｂにおいて、表面２６６側に凸部２７０ａ，２７０ｂが形成されており、裏面２６８側に凹部２７２ａ，２７２ｂが形成されている。
紙葉類保持部材２６０ａは、折り曲げ部２６４ａを表紙３０のヒンジ部４６ａの内側（表紙３０の幅方向における）近傍に位置させ且つ折り曲げ部２６４ｂを表紙３０のヒンジ部４６ｂの内側（表紙３０の幅方向における）近傍に位置させて、ホットメルト接着剤９６により、接着部６４ｄを表表紙４２のヒンジ部４６ａの近傍に接着されるとともに接着部６４ｅを裏表紙４４のヒンジ部４６ｂの近傍に接着されている。
そして、表表紙４２又は裏表紙４４をヒンジ部４６ａ又はヒンジ部４６ｂを中心にして開閉すれば、紙葉類保持部材２６０ａは、折り曲げ部２６４ａ又は折り曲げ部２６４ｂを中心にして開閉する。
また、表表紙４２および裏表紙４４を開いた状態のとき、表表紙４２および裏表紙４４の内表面３２ｂと、紙葉類保持部材２６０ａとにより形成される面が同一平面を形成する。
紙葉類保持部材２６０ａと背表紙３６との間には、連設部４０ａ，４０ｂとヒンジ部４６ａ，４６ｂとの間隔と略同一の高さを有する空間部５６が設けられている。
【００４９】
表紙３０および紙葉類保持部材２６０ａ，２６０ｂは、前記したファイル用表紙１０と同様に製造される。
【００５０】
この発明にかかるファイル用表紙２１０によると、上述のファイル用表紙１０，１１０と同様の効果を奏するとともに、次の効果も奏する。
すなわち、空間部５６に一方端片２７４および他方端片２７６が折り込まれることで、背表紙３６および側面３８ａ，３８ｂにより形成された背部３４の形状を保持することが可能となる。
【００５１】
さらにまた、この発明のかかる別の実施の形態であるファイル用表紙について説明する。
図１０は、この発明にかかるファイル用表紙の斜視図である。また、図１１は、この発明にかかるファイル用表紙のさらに他の実施形態におけるファイル用表紙の表紙を開いた状態の平面図解図であり、図１２は、図１０のファイル用表紙の表紙を開いた状態の横断面図解図である。図１３は、図１０のファイル用表紙の製造方法を示す斜視図解図である。
この発明の実施形態であるファイル用表紙３１０は、表紙３３０と綴具２０を固定する背部部材３３４とを含む。
【００５２】
表紙３３０は、広げた状態において、平面視略矩形の形状に形成されており、外表面３３２ａおよび内表面３３２ｂを備えている。また、表紙３３０は、紙葉類保持部３６０と、前記紙葉類保持部３６０の両端に開閉自在に延設された表表紙３４２および裏表紙３４４とを備え、図１０に示すように、表表紙３４２及び裏表紙３４４とが紙葉類保持部３６０に対して立設状態となるように連設されている。
すなわち、平面視略矩形の表紙３３０における略中央において、表紙３３０の高さ方向に対して垂直な向き（天地方向）に適宜な間隔を持った紙葉類保持部３６０が設けられている。また、表表紙３４２と裏表紙３４４とは、紙葉類保持部３６０の両端部の境界において、折り曲げ部３６４ａ及び折り曲げ部３６４ｂを介して連設されている。
また、紙葉類保持部３６０は、上述の紙葉類保持部材６０、紙葉類保持部材１６０ａ，１６０ｂもしくは紙葉類保持部材２６０ａ，２６０ｂと同等の役割を有している。
【００５３】
上述したように、紙葉類保持部３６０と表表紙３４２および裏表紙３４４との連設されている境界部分には、折り曲げ部３６４ａ及び折り曲げ部３６４ｂが設けられている。前記折り曲げ部３６４ａ，３６４ｂは、上述した実施の形態における折り曲げ部６４ａ，６４ｂ、折り曲げ部１６４ａ，１６４ｂもしくは折り曲げ部２６４ａ，２６４ｂと同等の役割を有している。
折り曲げ部３６４ａ，３６４ｂにおいて、内表面３３２ｂ側には凸部３７０ａ，３７０ｂが形成されており、外表面３３２ａ側には、凹部３７２ａ，３７２ｂが形成されている。
【００５４】
紙葉類保持部３６０の略中央部には、略矩形の開口部３６２が形成されている。該開口部３６２は、後述する綴具２０の一対の綴環２２ａ，２２ｂを露出させる大きさ有している。
【００５５】
背部部材３３４は、広げた状態において、平面視略矩形の形状に形成されており、外表面３３２ｃおよび内表面３３２ｄを備え、表表紙３４２の折り曲げ部３６４ａの近傍と裏表紙３４４の折り曲げ部３６４ｂの近傍との間に跨って、架け渡され、断面略コの字型の固定した状態の背部３３４ａを構成するように形成されている。
背部部材３３４は、綴具２０を固定する背表紙３３６の両端に延設された側面３３８ａ，３３８ｂを備えている。側面３３８ａ，３３８ｂは、対向して背表紙３３６に対して連設部３４０ａ，３４０ｂを介して略垂直となるように形成されている。また、側面３３８ａ，３３８ｂの連設部３４０ａ，３４０ｂとは反対方向に連設部３４０ａ，３４０ｂから適宜な間隔の位置に高さ方向（天地方向）に連続して、ヒンジ部３４６ａ，３４６ｂが形成される。
背部部材３３４は、展開した状態において、平面視略矩形の紙材を、トムソン加工により、外形を抜き加工によって形成するとともに、連設部３４０ａ及び３４０ｂにおいて折り曲げ加工し且つヒンジ部３４６ａ及び３４６ｂにおいて凹ませ、背部部材３３４の外表面を膨らませる加工をして、適宜な形状に成形する。
背部部材３３４は、ヒンジ部３４６ａより幅方向における外側には、接着領域を構成する一方の接着部３６４ｄを備え、且つヒンジ部３４６ｂより幅方向における外側には、接着領域を構成する他方の接着部３６４ｅを備えている。
【００５６】
側面３３８ａ及び側面３３８ｂは、背表紙３３６、表表紙３４２及び裏表紙３４４と同じ高さを有し、ファイル用表紙３１０の背表紙３３６を安定して手によって保持することができる程度の幅を有している。
そして、一方の側面３３８ａは、連設部３４０ａを介して、背表紙３３６と固定的な状態において連設され、他方の側面３３８ｂは、連設部３４０ｂを介して、背表紙３３６と固定的な状態において連設され、断面略コの字型の構造をしている。
連設部３４０ａは、折り曲げられて形成され、その外表面に表紙３３０の上端から下端に亘って連続して膨出されて形成された、断面略円弧状の外表面の角部３４８ａが形成されるとともに、連設部３４０ｂは、折り曲げられて形成され、その外表面に表紙３３０の上端から下端に亘って連続して膨出されて形成された、断面略円弧状の外表面の角部３４８ｂが形成されている。
【００５７】
表表紙３４２及び裏表紙３４４は、背表紙３３６、側面３３８ａ及び側面３３８ｂと同じ高さを有し、表表紙３４２は、ヒンジ部３４６ａを介して側面３３８ａに開閉自在に連設され、裏表紙３４４は、ヒンジ部３４６ｂを介して側面３３８ｂに開閉自在に連設されている。
対向するヒンジ部３４６ａとヒンジ部３４６ｂとの間に、仮想的な開口面３５４が形成され、この開口面３５４は、背表紙３３６に平行に形成され、背表紙３３６、側面３３８ａ及び側面３３８ｂとの間に空間部３５６が形成されている。
【００５８】
ヒンジ部３４６ａ，３４６ｂにおいて、外表面３３２ｃ側には凸部３５０ａ，３５０ｂが形成されており、内表面３３２ｂ側には、凹部３５２ａ，３５２ｂが形成されている。
側面３３８ａ，３３８ｂは、表表紙３４２および裏表紙３４４の折り曲げ部３６４ａ及び折り曲げ部３６４ｂ付近に固着される。このとき、紙葉類保持部３６０と背表紙３３６とは、適宜な幅を設けて固着される。
【００５９】
背部部材３３４は、ヒンジ部３４６ａを折り曲げ部３６４ａの（表紙の幅方向における）外側の近傍に位置させ且つヒンジ部３４６ｂを折り曲げ部３６４ｂ（表紙の幅方向における）外側の近傍に位置させて、一方の接着部３６４ｄを表表紙３４２の折り曲げ部３６４ａの近傍に接着されるとともに接着部３６４ｅを裏表紙３４４の折り曲げ部３６４ｂの近傍に、ホットメルト接着剤９６により接着されている。
而して、表表紙３４２または裏表紙３４４をヒンジ部３４６ａ又はヒンジ部３４６ｂを中心にして開閉すれば、紙葉類保持部３６０は折り曲げ部３６４ａ又は折り曲げ部３６４ｂを中心にして開閉する。
【００６０】
さらに、背部部材３３４の背表紙３３６の内表面３３２ｂ側における略中央部には、綴具２０が配置される。綴具２０は、たとえば、上述した実施例と同一の綴具２０が配置される。
【００６１】
表紙３３０及び背部部材３３４は、たとえば、厚紙、ボール紙等の紙材により形成される。
背部部材３３４は、展開した状態において、平面視略矩形の紙材を、トムソン加工により、外形を抜き加工によって形成するとともに、連設部３４０ａ及び３４０ｂにおいて折り曲げ加工し且つヒンジ部３４６ａ及び３４６ｂにおいて凹ませ、背部部材３３４の外表面側を膨らませる加工をして、適宜な形状に成形する。
次に、図４と同様に、背部部材３３４を構成する紙材を、ジグ９２の凹み９２ａに、断面略コの字型構造の背表紙３３６を下面にして側面３３８ａ及び３３８ｂを凹み９２ａの壁面に沿わせて載置し、ヒンジ部３４６ａ及びヒンジ部３４６ｂにより接着部３６４ｄ及び接着部３６４ｅを開いてジグ９２の左右に分かれた平面９２ｂに載置させる。
しかる後、接着部３６４ｄ及び接着部３６４ｅの上にホットメルト接着剤９６を載置し、背部部材３３４の開口面３５４を塞ぐようにして、別途準備した表表紙３４２及び裏表紙３４４を重ね、ホットメルト接着剤９６の上から表表紙３４２の折り曲げ部３６４ａの近傍と裏表紙３４４の折り曲げ部３６４ｂの近傍とに跨がらせて、紙葉類保持部３６０を緊張した状態にして、例えば、熱板９４をジグ９２の上方より表表紙３４２の折り曲げ部３６４ａ近傍の一方の接着部及び裏表紙３４４の折り前げ部３６４ｂの近傍の他方の接着部の表面に向けて下降させて、ジグ９２の平面９２ｂに向けて押圧する。
熱板９４により加熱されたホットメルト接着剤９６を表表紙３４２の折り曲げ部３６４ａの近傍と背部部材３３４の一方の接着部３６４ｄとの間及び裏表紙３４４の折り曲げ部３６４ｂの近傍と背部部材３３４の他方の接着部３６４ｅとの間において溶融させ、熱板９４を取り除くことにより硬化させれば、表紙３３０を形成する紙材の適宜な位置において、表紙３３０を形成する紙材に固定される。
【００６２】
この発明にかかるファイル用表紙３１０によると、綴具２０に綴じられた紙葉類Ｓが紙葉類保持部３６０により支えられることから、背部部材３３４により形成された空間部３５６内に紙葉類Ｓが落ち込むことがない。
さらに、当該ファイル用表紙３１０の背表紙３３６の裏側に取り付けられた綴具２０に紙葉類Ｓ等を綴じている状態で背表紙３３６と側面３３８ａ及び３３８ｂとを指でつかんで、ファイル用表紙３１０を開いて該紙葉類Ｓ等を閲覧する場合に、前記連設部３４０ａ及び連設部３４０の外表面の角部３４８ａ及び角部４３８ｂの膨らみがすべり止めの役割を果たし、手の中に背表紙３３６を確実に保持することが可能となる。
【００６３】
この発明にかかるファイル用表紙３１０によると、上述のファイル用表紙１０，１１０，２１０と同様の効果を奏する。
【図面の簡単な説明】
【００６４】
【図１】この発明にかかるファイル用表紙を使用したファイリング用品の一実施例を示す斜視図である。
【図２】この発明にかかるファイル用表紙の表紙を開いた状態の平面図解図である。
【図３】図２のファイル用表紙の表紙を開いた状態の横断面図解図である。
【図４】図２図示ファイル用表紙の製造方法を示す断面の図解図である。
【図５】この発明にかかる他の実施形態におけるファイル用表紙の表紙を開いた状態の平面図解図である。
【図６】図４におけるファイル用表紙の表紙を開いた状態の横断面図解図である。
【図７】この発明にかかるさらに他の実施形態におけるファイル用表紙の表紙を開いた状態の平面図解図である。
【図８】図６のファイル用表紙の表紙を開いた状態の横断面図解図である。
【図９】紙葉類保持部材の展開した状態の斜視図である。
【図１０】この発明にかかる他の実施例にかかるファイル用表紙の斜視図である。
【図１１】図１０におけるファイル用表紙の表紙を開いた状態の平面図解図である。
【図１２】図１０のファイル用表紙の表紙を開いた状態の横断面図解図である。
【図１３】図１０のファイル用表紙の製造方法を示す斜視図解図である。
【符号の説明】
【００６５】
１０，１１０，２１０，３１０  ファイル用表紙
２０  綴具
２２ａ，２２ｂ  一対の綴環
２４  保持部材
３０，３３０  表紙
３２ａ，３３２ａ  外表面
３２ｂ，３３２ｂ  内表面
３４，３３４ａ  背部
３６，３３６  背表紙
３８ａ，３８ｂ，３３８ａ，３３８ｂ  側面
４０ａ，４０ｂ，３４０ａ，３４０ｂ  連設部
４２，３４２  表表紙
４４，３４４  裏表紙
４６ａ，４６ｂ，３４６ａ，３４６ｂ  ヒンジ部
４８ａ，４８ｂ，３４８ａ，３４８ｂ  角部
５０ａ，５０ｂ，３５０ａ，３５０ｂ  凸部
５２ａ，５２ｂ，３５２ａ，３５２ｂ  凹部
５４，３５４  開口面
５６，３５６  空間部
６０，１６０ａ，１６０ｂ，２６０ａ，２６０ｂ  紙葉類保持部材
６２，３６２  開口部
６４  中央部
６４ａ，６４ｂ，１６４ａ，１６４ｂ，２６４ａ，２６４ｂ，３６４ａ，３６４ｂ  折
り曲げ部
６４ｃ  中央部
６４ｄ，６４ｅ，３６４ｄ，３６４ｅ  接着部
６６，１６６，２６６  表面
６８，１６８，２６８  裏面
７０ａ，７０ｂ，１７０ａ，１７０ｂ，２７０ａ，２７０ｂ，３７０ａ，３７０ｂ  凸部
７２ａ，７２ｂ，２７２ａ，２７２ｂ，２７２ａ，２７２ｂ，３７２ａ，３７２ｂ  凹部
２７４  一方端片
２７６  他方端片
８０  上端部
８２  上端部
８４  下端部
８６  下端部
３３４  背部部材
３６０  紙葉類保持部
３３２ｃ  外表面
３３２ｄ  内表面
９０  紙材
９２  ジグ
９２ａ  ジグの凹部
９２ｂ  ジグの平面
９４  熱板
９６  ホットメルト接着剤
Ｓ  紙葉類
【図１】
2008062424.tif 000003
【図２】
2008062424.tif 000004
【図３】
2008062424.tif 000005
【図４】
2008062424.tif 000006
【図５】
2008062424.tif 000007
【図６】
2008062424.tif 000008
【図７】
2008062424.tif 000009
【図８】
2008062424.tif 000010
【図９】
2008062424.tif 000011
【図１０】
2008062424.tif 000012
【図１１】
2008062424.tif 000013
【図１２】
2008062424.tif 000014
【図１３】
2008062424.tif 000015